(57)【特許請求の範囲】
【請求項１】
斜線を組み合わせたパターンで形成した機械読み取りのためのコード情報が予め付加されている画像を入力する画像入力手段と、
前記画像入力手段により入力された画像の中からコード情報を抽出する抽出手段と、
パターンマッチング回路を用いて、前記抽出手段により抽出されたコード情報に含まれる１つの斜線とスキュー角度に対応付けられた複数のパターンとのマッチングを行うパターンマッチング手段と、
前記パターンマッチング手段によるマッチングの結果、複数のパターンのうち最も多いパターンとされたパターンに対応付けられた前記スキュー角度を決定するスキュー角度決定手段と、
前記スキュー角度決定手段により決定されるスキュー角度を用いると共に、当該スキュー角度決定手段にて複数のパターンのうち最も多いパターンとされたパターンに含まれる１つの斜線と前記抽出手段により抽出されたコード情報に含まれる１つの斜線との成す角度を用いてスキュー補正量をソフトウエアの構成で求めるスキュー補正量決定手段と、
前記スキュー補正量決定手段により求められたスキュー補正量に基づいて、前記画像入力手段で入力された画像にスキュー補正を行うスキュー補正手段と、
前記スキュー補正手段でスキュー補正を行った画像のデータを外部に送信して用紙への画像出力を指示する指示手段と
を含む画像処理装置。
【請求項２】
画像に予め付加されたコード情報は、複写禁止を表す禁止情報であることを特徴とする請求項１に記載の画像処理装置。
【請求項３】
読み取られた画像に斜線を組み合わせて出力禁止を表す禁止パターンが含まれる場合にパスワードの入力により出力禁止が解除された画像を画像出力装置へ出力する画像処理装置であって、
パターンマッチング回路を用いて、読み取られた画像に含まれる禁止パターンの１つの斜線とスキュー角度に対応付けられた複数のパターンとのマッチングを行うパターンマッチング手段と、
前記パターンマッチング手段によるマッチングの結果、複数のパターンのうち最も多いパターンとされたパターンに対応付けられた前記スキュー角度を決定するスキュー角度決定手段と、
前記スキュー角度決定手段により決定されるスキュー角度を用いると共に、当該スキュー角度決定手段にて複数のパターンのうち最も多いパターンとされたパターンに含まれる１つの斜線と前記読み取られた画像に含まれる禁止パターンの１つの斜線との成す角度を用いてスキュー補正量をソフトウエアの構成で求めるスキュー補正量決定手段と、
読み取られた画像について前記スキュー補正量決定手段により求められたスキュー補正量の補正を行うスキュー補正手段と、
を含む画像処理装置。
【請求項４】
スキュー補正とは無関係の斜線を組み合わせたパターンで形成した機械読み取りのためのコード情報が含まれている画像データを取得する取得ステップと、
前記取得ステップにより取得された画像の中からコード情報を抽出する抽出ステップと、
パターンマッチング回路を用いて、前記抽出ステップにより抽出されたコード情報に含まれる１つの斜線とスキュー角度に対応付けられた複数のパターンとのマッチングを行うパターンマッチングステップと、
前記パターンマッチングステップによるマッチングの結果、複数のパターンのうち最も多いパターンとされたパターンに対応付けられた前記スキュー角度を決定するスキュー角度決定ステップと、
前記スキュー角度決定ステップにより決定されるスキュー角度を用いると共に、当該スキュー角度決定ステップにて複数のパターンのうち最も多いパターンとされたパターンに含まれる１つの斜線と前記抽出ステップにより抽出されたコード情報に含まれる１つの斜線との成す角度を用いてスキュー補正量をソフトウエアの構成で求めるスキュー補正量決定ステップと、
前記スキュー補正量決定ステップにより求められたスキュー補正量に基づいて、前記取得ステップにより取得された画像データによる画像にスキュー補正を行うスキュー補正ステップと、
前記スキュー補正ステップでスキュー補正を行った画像のデータを外部に送信して用紙への画像出力を指示する指示ステップと
を含む画像処理方法。
【発明の詳細な説明】
【技術分野】
【０００１】
本発明は、複写機、プリンタ、ファクシミリ、これらの複合機等に用いられる画像処理装置等に関するものである。
【背景技術】
【０００２】
文書をイメージスキャナで読み取った際に得られる画像データやファクシミリ装置が受信する画像データを解析し、画像中の文字が記されている領域に対して文字認識処理を施し、画像として読み取った文書から文章を抽出する技術が知られている。この技術においては、読み取った画像に傾きが無いこと、すなわちスキューが無いことが、元の文章を正確に抽出するための前提としてあり、読み取った画像にスキューがある場合には、スキューを補正する必要がある。そして、補正すべきスキュー量を検知する技術として従来から種々の技術が提案されている（例えば、特許文献１参照）。
【０００３】
特許文献１では、原稿に向かって照射された光の反射光を受光して原稿の画像を読み取るに際して、ＣＣＤの出力から原稿の位置及び幅を検知する原稿サイズ検知処理を画像処理部で行う。その検知結果に基づいて原稿の傾きであるスキューをＣＰＵで判別して、当該判別したスキューに基づいて読み取った原稿の画像データの傾きをＣＰＵの制御下で画像処理部により補正している。
【０００４】
【特許文献１】特開２００１−３５８９１４号公報
【発明の開示】
【発明が解決しようとする課題】
【０００５】
しかしながら、特許文献１に開示されている原稿の位置及び幅を検知してスキューを求める技術は、原稿がスキャナに対して傾いてない状態で読み取ることを前提としている。このため、原稿がスキャナに対して傾かないような状態を保持できる機構が必要になり、コストの削減を行うことが困難である。また、特許文献１に開示されている技術は、原稿自体とその原稿の画像との相対的な傾きがないことを前提としている。このため、原稿の画像が原稿自体に対して傾斜している場合には、対応することが困難である。このように、従来の技術を用いると、コストをあまりかけずに高い精度で画像のスキュー補正を行うことが困難であった。
【０００６】
本発明は、以上のような技術的課題を解決するためになされたものであり、その目的とするところは、画像のスキュー量検知を精度良く行うことが可能な画像処理装置等を提供することにある。
また別の目的は、画像のスキュー補正に関してコストの削減が可能な画像処理装置等を提供することにある。
【課題を解決するための手段】
【０００７】
かかる目的のもと、本発明が適用される画像処理装置は、斜線を組み合わせたパターンで形成した機械読み取りのためのコード情報が予め付加されている画像を入力する画像入力手段と、画像入力手段により入力された画像の中からコード情報を抽出する抽出手段と、パターンマッチング回路を用いて、抽出手段により抽出されたコード情報に含まれる１つの斜線とスキュー角度に対応付けられた複数のパターンとのマッチングを行うパターンマッチング手段と、パターンマッチング手段によるマッチングの結果、複数のパターンのうち最も多いパターンとされたパターンに対応付けられたスキュー角度を決定するスキュー角度決定手段と、スキュー角度決定手段により決定されるスキュー角度を用いると共に、スキュー角度決定手段にて複数のパターンのうち最も多いパターンとされたパターンに含まれる１つの斜線と抽出手段により抽出されたコード情報に含まれる１つの斜線との成す角度を用いてスキュー補正量をソフトウエアの構成で求めるスキュー補正量決定手段と、スキュー補正量決定手段により求められたスキュー補正量に基づいて、画像入力手段で入力された画像にスキュー補正を行うスキュー補正手段と、スキュー補正手段でスキュー補正を行った画像のデータを外部に送信して用紙への画像出力を指示する指示手段とを含むものである。
【０００８】
画像に予め付加されたコード情報は、複写禁止を表す禁止情報であることを特徴とすることができる。
【０００９】
他の観点から捉えると、本発明が適用される画像処理装置は、読み取られた画像に斜線を組み合わせて出力禁止を表す禁止パターンが含まれる場合にパスワードの入力により出力禁止が解除された画像を画像出力装置へ出力する画像処理装置であって、パターンマッチング回路を用いて、読み取られた画像に含まれる禁止パターンの１つの斜線とスキュー角度に対応付けられた複数のパターンとのマッチングを行うパターンマッチング手段と、パターンマッチング手段によるマッチングの結果、複数のパターンのうち最も多いパターンとされたパターンに対応付けられたスキュー角度を決定するスキュー角度決定手段と、スキュー角度決定手段により決定されるスキュー角度を用いると共に、スキュー角度決定手段にて複数のパターンのうち最も多いパターンとされたパターンに含まれる１つの斜線と読み取られた画像に含まれる禁止パターンの１つの斜線との成す角度を用いてスキュー補正量をソフトウエアの構成で求めるスキュー補正量決定手段と、読み取られた画像についてスキュー補正量決定手段により求められたスキュー補正量の補正を行うスキュー補正手段と、を含むものである。
【００１１】
更に本発明を別の観点から捉えると、本発明が適用される画像処理方法は、スキュー補正とは無関係の斜線を組み合わせたパターンで形成した機械読み取りのためのコード情報が含まれている画像データを取得する取得ステップと、取得ステップにより取得された画像の中からコード情報を抽出する抽出ステップと、パターンマッチング回路を用いて、抽出ステップにより抽出されたコード情報に含まれる１つの斜線とスキュー角度に対応付けられた複数のパターンとのマッチングを行うパターンマッチングステップと、パターンマッチングステップによるマッチングの結果、複数のパターンのうち最も多いパターンとされたパターンに対応付けられたスキュー角度を決定するスキュー角度決定ステップと、スキュー角度決定ステップにより決定されるスキュー角度を用いると共に、スキュー角度決定ステップにて複数のパターンのうち最も多いパターンとされたパターンに含まれる１つの斜線と抽出ステップにより抽出されたコード情報に含まれる１つの斜線との成す角度を用いてスキュー補正量をソフトウエアの構成で求めるスキュー補正量決定ステップと、スキュー補正量決定ステップにより求められたスキュー補正量に基づいて、取得ステップにより取得された画像データによる画像にスキュー補正を行うスキュー補正ステップと、スキュー補正ステップでスキュー補正を行った画像のデータを外部に送信して用紙への画像出力を指示する指示ステップとを含むものである。
【発明の効果】
【００１３】
本発明によれば、画像のスキュー量検知を精度良く行うことが可能になる。
【発明を実施するための最良の形態】
【００１４】
以下、添付図面を参照して、本発明の実施の形態について詳細に説明する。
図１は、本実施の形態に係る画像処理装置１０を説明するためのブロック図である。
図１に示すように、画像処理装置１０は、原稿の画像が入力される画像入力部（画像入力手段）２０と、入力された画像について所定の画像処理を行う画像処理部３０と、入力された画像から複写禁止コードを検出する複写禁止コード検出部（抽出手段、選択部）５０と、複写禁止コード検出部５０の結果に基づいてスキュー補正量を最終的に決定するスキュー補正量決定部（演算部）６０と、複写される際に用いられる埋め込み情報を復号する埋め込み情報復号部７０と、を備えている。画像処理部３０は、決定されたスキュー角度に基づいて画像のスキュー補正を行うスキュー補正部（補正手段）４０を有する。
【００１５】
このように構成された画像処理装置１０は、ユーザに通知すべき内容を表示する表示デバイス（表示画面）とユーザが指示内容を入力するための入力部とを有するＵＩ８０に接続されている。また、画像処理装置１０は、複写すべき画像を用紙に出力する画像出力部９０に接続されている。
【００１６】
画像入力部２０は、原稿の画像を光学的に読み取り、これによって得られた画像データを入力するものである。画像入力部２０は、例えば、透明な原稿台にセットされた原稿の画像を読み取る原稿読み取り装置で構成することができる。この原稿読み取り装置は、ランプ、ミラー及びキャリッジ等からなる光学走査系と、この光学走査系で走査された光学像を結像させるレンズ系と、このレンズ系で結像された光学像を受光して電気信号に変換するＣＣＤ等の読み取りセンサと、を有するものである。原稿の画像が４色フルカラーの場合には、カラー画像で形成された原稿（カラー原稿）の画像を光の原色であるＢ（青）、Ｇ（緑）、Ｒ（赤）ごとに読取センサで読み取る。
【００１７】
ここで、原稿の画像には、特定の情報がパターン情報（パターン画像）として画像中に極力目立たずに埋め込まれている。本実施形態においては、パターン情報の一例として、右上がりの斜線“／”と左上がりの斜線“＼”を組み合わせた配列のパターン（以下、スラッシュパターンとも記す）を採用している。このため、本実施形態では、このパターン情報を利用して原稿の画像中に予め特定の情報が埋め込まれているものとする。したがって、画像入力部２０で原稿の画像を読み取って得られる画像データには、スラッシュパターンの形式で特定の情報が電子データとして付加されることになる。
【００１８】
そして、所定の情報が埋め込まれている原稿の画像は、複写禁止の設定がなされている画像である。そのため、ユーザがＵＩ８０を通じて所定のパスワードを入力しないときには、複写禁止の画像データが画像出力部９０へ出力されることはない。
【００１９】
ここで、画像入力部２０で読み取られる原稿の画像には、上述した特定の情報が、可視情報又は不可視情報として埋め込まれている。特定の情報が可視情報である場合は、これをインク、トナー等の印刷材料を使って原稿の画像中に埋め込むことになる。その際、特定の情報を表す可視情報が原稿上であまり目立たないように、例えば周知のウォータマークと同様の扱いで原稿の画像中に特定の情報を埋め込むことが好ましい。具体的には、原稿の画像がカラー画像の場合に、人の目で確認しにくいＹ（イエロー）などの淡色系の印刷材料を用いて特定の情報を埋め込むことが望ましい。
【００２０】
また、特定の情報が不可視情報である場合は、この不可視情報を原稿の画像中に埋め込むにあたって、人間の目で確認できる可視光領域の波長域を除き、紫外線領域又は赤外線領域でのみ顕著に光を反射する印刷材料を用いて特定の情報を埋め込むことが望ましい。
紫外線領域で顕著に光を反射する印刷材料を用いて不可視情報（特定の情報）を埋め込んだ場合は、紫外線領域の光を選択的に透過させる光学フィルタを備える読取センサを用いることにより、画像入力部２０で不可視情報を光学的に読み取ることが可能となる。また、赤外線領域で顕著に光を反射する印刷材料を用いて不可視情報（特定の情報）を埋め込んだ場合には、赤外線領域の光を選択的に透過させる光学フィルタを備える読取センサを用いることにより、画像入力部２０で不可視情報を光学的に読み取ることが可能となる。
さらに、光学的な読み取り以外にも、例えば磁性粉を含有した印刷材料を用いて原稿の画像中に不可視情報を埋め込むものとすると、この不可視情報を磁気センサを用いて磁気的に読み取ることも可能となる。
【００２１】
画像処理部３０は、画像入力部２０により入力された画像データについて所定の画像処理を行うためのものである。すなわち、画像入力部２０の読取センサで読み取られた画像データは、Ａ／Ｄ（アナログ／デジタル）変換によってデジタルの画像データに変換される。そして、後述するスキュー角度の決定の後に、デジタルの画像データは、画像処理部３０のスキュー補正部４０によりスキュー補正がなされる。スキュー補正がなされた画像データは、トナーの原色であるＹ（イエロー）、Ｃ（シアン）、Ｍ（マゼンダ）、Ｋ（黒）に分解され、さらに、色、階調、精細度等の再現性を高めるために、種々の画像処理を施してカラーの階調トナー信号をオン／オフの２値化信号に変換される。こうしてカラー原稿から読み取られた画像データは、コピー動作時に画像入力部２０から画像出力部９０へと出力される。
【００２２】
なお、画像出力部９０は、図示しないレーザ走査ユニット（レーザＲＯＳ）及び図示しない感光体ドラムを有する。そして、図示しない感光体ドラムの周囲には、感光体ドラムの表面を一様に帯電させるための図示しない帯電器と、レーザ走査ユニットによって感光体ドラムの表面に書き込まれた静電潜像をトナー像に現像させるための図示しない現像器ユニットと、トナー像を用紙に転写させるための図示しない転写装置と、用紙に転写されなかった残留トナーを回収するための図示しないクリーナと、が配置されている。また、画像出力部９０は、用紙に転写されたトナー画像を定着するための図示しない定着装置を有する。
【００２３】
複写禁止コード検出部５０は、画像処理部３０において処理された画像データを用いて、禁止コードを検出するものである。そして、複写禁止コード検出部５０は、禁止コードが検出されたときには、禁止コードの検出結果を画像処理部３０とスキュー補正量決定部６０と埋め込み情報復号部７０とに送るものである。
【００２４】
スキュー補正量決定部６０は、複写禁止コード検出部５０による検出結果を用いて、実際のスキュー角度を決定し、その結果を画像処理部３０のスキュー補正部４０に送るものである。スキュー補正部４０は、スキュー補正量決定部６０による決定結果に従って画像のスキュー補正を行うものである。
【００２５】
埋め込み情報復号部７０は、予め規定されたフォーマットに従って、複写禁止コード検出部５０により識別された個々の情報を組み立て、それを復号化することにより、埋め込まれていた元の付加情報を復元するものである。
【００２６】
図２は、本実施の形態に係る画像処理装置１０においてスキュー角度を決定するための処理手順を示すフローチャートである。
図２に示すように、ユーザによってＵＩ８０のジョブスタートボタンが押されると、その指示が信号として画像処理部３０に送られる。画像処理部３０はその指示を受け付けると（ステップ１０１）、画像入力部２０に画像読み取りを指示する。指示を受けた画像入力部２０は、原稿の画像読み取りを開始する（ステップ１０２）。画像入力部２０で読み取られた原稿の画像データが画像処理部３０に送られる。画像処理部３０は、その画像データを複写禁止コード検出部５０に送って複写禁止コード（不正コピー禁止コード）の検出開始を指示する。指示を受けた複写禁止コード検出部５０は、画像データについて複写禁止コードの検出を開始する（ステップ１０３）。
【００２７】
複写禁止コードの検出は、次のように行われる。まず画像入力部２０から入力される各々のページの画像データを、所定サイズ（例えば、７画素×７画素）の画素ブロックに分割する。そして、複写禁止コード検出部５０は、分割された各々の画素ブロックごとに、予め設定されたパターン画像と一致するパターン画像を含んでいるかどうかを図示しないパターンマッチング回路（ハードウエア）を用いて判断する。
【００２８】
ここで、図３は、複写禁止コード検出部５０において複写禁止コードを検出するのに用いられる８種類のパターンを説明する説明図であり、図４は、複写禁止コード検出の対象物である実際の画像データを説明する説明図である。
図３に示すように、この８種類のパターンは、コードの方向によりパターンＰ0とパターンＰ1とに大別され、さらにパターンＰ0及びパターンＰ1のそれぞれについて、スキュー角度ごとに４つに分けられている。このスキュー角度としては、「−２２．５度」、「０度」、「＋２２．５度」及び「＋４５度」の４種類が設定されている。具体的には、パターンＰ0としては、−２２．５度のパターンＰ0-2、０度のパターンＰ0/0、＋２２．５度のパターンＰ0+2及び＋４５度のパターンＰ0+4の４つが設定されている。また、パターンＰ1としては、−２２．５度のパターンＰ1-2、０度のパターンＰ1/0、＋２２．５度のパターンＰ1+2及び＋４５度のパターンＰ1+4の４つが設定されている。言い換えると、８種類のパターンは、２２．５度の間隔になるように設定されている。
【００２９】
そして、複写禁止コードの検出は、図４に示す画像データが図３に示す８種類のパターンのいずれかに近似するかを複写禁止コード検出部５０が判断することにより行われる。すなわち、図示しないパターンマッチング回路（ハードウエア）で原稿の所定の画素数を読んでスキュー角度に応じた８種類のパターンとのマッチングを行い、これにより複写禁止コード検出部５０は、複写禁止コードの検出を行う。
【００３０】
図２のフローチャートに戻って説明を続ける。複写禁止コード検出部５０は、上述した図示しないパターンマッチング回路によるマッチングの結果、一番多い角度パターンをスキュー角度Ａとする（ステップ１０４）。このように、図示しないパターンマッチング回路によりスキュー角度Ａないしはスキュー角度範囲が決定される。
【００３１】
具体的に説明すると、複写禁止コードの検出パターンが図３に示す８種類のパターンのうち最も近似するパターンは、パターンＰ1-2、すなわち、コードの方向がパターンＰ1であってスキュー角度Ａが−２２．５度のパターンである。言い換えると、スキュー角度範囲は、−２２．５度から０度までとなる。
ここで、図４に示す画像データのパターンＰa1は、パターンＰ1-2と完全一致していない。したがって、２２．５度よりも小さいスキュー角度をスキュー補正量とすれば、さらに精度の高いスキュー補正を行うことができる。
【００３２】
このような精度の高いスキュー補正を可能ならしめるために、ステップ１０５が行われる。すなわち、スキュー補正量決定部６０は、ステップ１０４により検知されたスキュー角度Ａに近い角度からソフトウエアでパターンマッチングを行い（ステップ１０５）、スキューの補正量とすべきスキュー角度Δ（図５参照）を検知する。そして、スキュー補正量決定部６０がスキュー角度Δの検知を終了したときには、画像処理部３０のスキュー補正部４０にその検知結果であるスキュー角度Δを送る。
スキュー補正部４０は、スキュー補正量決定部６０から受け取ったスキュー角度Δに基づいて、スキュー補正を行い（ステップ１０６）、スキュー補正が完了したら一連の処理手続は終了する。
【００３３】
ここで、上述したステップ１０５における処理手順について説明する。
図５は、画像にスキューがない場合とスキューがある場合の画素ブロックを簡略化して示す説明図である。なお、（ａ）は、画像にスキューがある場合を示したものであり、図５の（ｂ）は、画像にスキューがない場合を示したものである。
図５の（ａ）に示すように、実際の画像データのパターンＰa1は、パターンＰ1/0とパターンＰ1-2との間に位置している。すなわち、ステップ１０４で説明した２２．５度間隔のスキュー角度の補正を行うだけでは、精度的に不十分である。後述するステップ１０５によって、さらに的確なスキュー補正量を求めることにより、図５の（ｂ）に示すスキューなしの状態にすることができる。
【００３４】
具体的に説明すると、スキュー補正量決定部６０（図１参照）は、複写禁止コード検出部５０の図示しないパターンマッチング回路により、図５の（ａ）に示すパターンＰ1-2とパターンＰa1との交差角度Ｂをソフトウエアによるパターンマッチングにより演算する。そして、交差角度Ｂをスキュー角度Ａから引いた値である角度Δを計算する。これにより求められた角度Δ分だけ、実際の画像データをスキュー補正すると、図５の（ｂ）に示すスキューのない状態になる。また、図５の（ａ）に示すように、パターンＰa1は、パターンＰ1/0とパターンＰ1-2との間に位置しているので、スキュー補正する方向も決定することができる。
【００３５】
このように、ステップ１０５では、ステップ１０４で決定した複写禁止コードの検出パターンＰ1-2を基準にスキュー補正量を決定するものである。スキュー補正量を２段階の処理手順を踏んで決定することにより、より的確なスキュー補正量を取得することができる。
【００３６】
次に、スキュー補正が行われた後の処理手順について説明する。
図６は、スキュー補正が行われた後の処理手順を示すフローチャートである。なお、図６に示すフローチャートは、スキュー補正を行うと共に行うようにすることも可能である。
複写禁止コード検出部５０が複写禁止コードを検出し、スキュー補正部４０によりスキュー補正が行われた後には、図６に示すように、画像処理部３０は、ＵＩ８０を介して複写しようとしている原稿は、複写禁止である旨及び複写禁止を解除するためのパスワードの入力が必要である旨をユーザに通知し、パスワード入力画面を表示させる（ステップ２０１）。ユーザからＵＩ８０を介してパスワードの入力があったときには、画像処理部３０は、そのパスワードを受け付ける（ステップ２０２）。
【００３７】
画像処理部３０は、受け付けたパスワードが設定されているパスワードと一致するか否かを判断する（ステップ２０３）。判断の結果、パスワードが一致すると判断したときには、画像処理部３０は、画像の出力を画像出力部９０に指示し（ステップ２０４）、画像出力部９０は、スキュー補正した後の画像を、埋め込み情報復号部７０からの情報と共に用紙に出力する。画像処理部３０は、パスワードが一致しないと判断したときには、そのまま終了する。
【図面の簡単な説明】
【００３８】
【図１】本実施の形態が適用される画像処理装置を説明するためのブロック図である。
【図２】画像処理装置においてスキュー角度を決定するための処理手順を示すフローチャートである。
【図３】複写禁止コード検出部において複写禁止コードを検出するのに用いられる８種類のパターンを説明する説明図である。
【図４】複写禁止コード検出の対象物である実際の画像データを説明する説明図である。
【図５】画像にスキューがない場合とスキューがある場合の画素ブロックを簡略化して示す説明図である。
【図６】スキュー補正が行われた後の処理手順を示すフローチャートである。
【符号の説明】
【００３９】
１０…画像処理装置、２０…画像入力部、３０…画像処理部、４０…スキュー補正部、５０…複写禁止コード検出部、６０…スキュー補正量決定部、７０…埋め込み情報復号部、８０…ＵＩ、９０…画像出力部
【図１】
0004654898.tif 000002
【図２】
0004654898.tif 000003
【図３】
0004654898.tif 000004
【図４】
0004654898.tif 000005
【図５】
0004654898.tif 000006
【図６】
0004654898.tif 000007